(57)【要約】【課題】被検体の膝曲げを抑制しつつ、拘束感を低減できるようにすること。【解決手段】  実施形態に係る医用固定具は、支持体、マット、第１クッション部材及びカバー部材を具備する。前記支持体は、寝台装置の天板に載置される底面部材と、前記底面部材の長手方向における両側部に沿って配置された側面部材とを備えている。前記マットは、前記底面部材に載置され、被検体が載置される。前記第１クッション部材は、膝曲げを抑制する複数の第１クッションを有し、前記複数の第１クッションの一部が前記側面部材の内面と前記マットとの間に配置されている。前記カバー部材は、前記複数の第１クッションをカバーする第１布状部材と、前記第１布状部材の周縁を補強する布状の第１ベルト部材とを有している。前記カバー部材は、前記第１ベルト部材が前記被検体の足先部及び腰部に対応する複数の位置で前記側面部材の外面に着脱可能に取り付けられる。【選択図】図１
2019162214.tif 000002
【特許請求の範囲】
【請求項１】
寝台装置の天板に載置される底面部材と、前記底面部材の長手方向における両側部に沿って配置された側面部材とを備えた支持体と、
前記底面部材の少なくとも一部に載置され、被検体の少なくとも足部が載置されるマットと、
前記足部の膝曲げを抑制するための複数の第１クッションを有し、前記複数の第１クッションの一部が前記側面部材の内面と前記マットとの間に配置された第１クッション部材と、
前記複数の第１クッションをカバーする第１布状部材と、前記第１布状部材の周縁を補強する布状の第１ベルト部材とを有し、前記第１ベルト部材が前記被検体の足先部及び腰部に対応する複数の位置で前記側面部材の外面に着脱可能に取り付けられるカバー部材と
を具備する医用固定具。
【請求項２】
前記第１クッション部材は、前記複数の第１クッションが接続部材を介して接続され、前記接続部材が前記マットと前記底面部材との間に配置された、請求項１に記載の医用固定具。
【請求項３】
前記第１布状部材は、ネット形状を有する、請求項１又は２に記載の医用固定具。
【請求項４】
前記側面部材の高さは、少なくとも前記足先部と前記腰部とに対応する複数の位置の間で前記第１クッション部材の頂部よりも低い、請求項１乃至３のいずれか一項に記載の医用固定具。
【請求項５】
前記第１ベルト部材は、前記長手方向とは直交する方向に突出した突出領域を四隅に有し、前記突出領域を介して前記側面部材の外面に着脱可能に取り付けられる、請求項１乃至４のいずれか一項に記載の医用固定具。
【請求項６】
前記被検体の胴部における前記側面部材に近づく方向の動きを抑制するための複数の第２クッションを有し、前記複数の第２クッションの一部が前記側面部材の内面と前記マットとの間に配置された第２クッション部材、
を更に備え、
前記カバー部材は、前記胴部及び前記複数の第２クッションをカバーする第２布状部材と、前記第２布状部材の周縁を補強する第２ベルト部材とを更に有し、前記第２ベルト部材が前記被検体の腕の付け根周辺及び腰部に対応する複数の位置で前記側面部材の外面に着脱可能に取り付けられており、前記第２ベルト部材と前記第１ベルト部材とが前記腰部に対応する部分で一体的に形成されている、請求項１乃至５のいずれか一項に記載の医用固定具。
【請求項７】
前記第１クッション部材の体積は、前記第２クッション部材の体積よりも大きい、請求項６に記載の医用固定具。
【請求項８】
前記足部における右足部と左足部との間に対応する位置で前記マットに着脱可能に取り付けられた第３クッション部材、を更に備えた請求項１乃至７のいずれか一項に記載の医用固定具。
【請求項９】
帯状のベルト本体を有し、前記ベルト本体が前記被検体の膝周辺に対応する位置で前記カバー部材を抑えるように、前記ベルト本体の両端が前記側面部材の外面に着脱可能に取り付けられる足部ベルト、を更に備えた請求項１乃至８のいずれか一項に記載の医用固定具。
【請求項１０】
円弧状又はＵ字状の断面形状を有し、前記被検体の頭部が載置されるヘッドレストを前記支持体上又は前記マット上に更に備え、
前記ヘッドレストと前記側面部材との間で前記被検体の腕を挟持する、請求項１乃至９のいずれか一項に記載の医用固定具。
【発明の詳細な説明】
【技術分野】
【０００１】
本発明の実施形態は、医用固定具に関する。
【背景技術】
【０００２】
一般に、乳幼児又は学童などの小児は、ＣＴ（Computed Tomography）の撮影等の際に、寝台上で身体が動いてしまうことがある。このため、小児の撮影には、寝台に載置されて小児の身体を固定するための医用固定具が広く用いられている。この種の医用固定具は、様々なものが知られている。
【０００３】
医用固定具の主流は、（Ａ）小児の肩から足先までを硬質の布材で左右から包み込むようにカバーして固定するタイプである。また、主流ではないが、医用固定具には、（Ｂ）布材ではなくネット状カバーで小児の身体全体を包むタイプや、（Ｃ）小児の身体の要所のみをベルトで固定するタイプなどがある。
【０００４】
上記（Ａ）の場合、硬質の布材が肩から足先までを包むので、撮影中に身体が動いてしまうことは少ない。但し、小児は強い拘束感を受けるため、小児によっては、恐怖心から泣いたり暴れたりすることがある。
【０００５】
上記（Ｂ）の場合、ネット状カバーで身体全体を包むので、拘束感が弱い。但し、小児の肩、腰、膝の３箇所の固定が不十分となる。このため、例えば、小児の膝曲げにより、身体が動いてしまうことがある。
【０００６】
上記（Ｃ）の場合、ベルトで要所のみを固定するので、ベルトで固定していない部分から徐々に隙間ができて、身体が動いてしまうことがある。例えば、仰臥した小児の膝曲げにより隙間が生じて、身体が動いてしまうことがある。また、仮に膝をベルトで固定すると、小児によっては、強い拘束感を受けてしまう懸念がある。
【０００７】
これに加え、上記（Ａ）〜（Ｃ）以外の構成や、上記（Ａ）〜（Ｃ）の一部を含む構成など、医用固定具は、例えば［１］〜［７］に示すように、様々なものが知られている。
【０００８】
［１］医用固定具は、マットに載置される被検体を保持・固定するためのベルト状保持具を備えている。マット上面の両側部には、被検体が脱落するのを防止するための脱落防止用クッションが設けられている。なお、この脱落防止用クッションは、胴部を固定するものではない。この［１］は、上記（Ａ）と（Ｃ）の中間的な構成を示している。
【０００９】
［２］医用固定具は、一方が開放するＵ字型断面と、Ｕ字型断面の空洞部分の大きさを表面に表示する指標とを備える。この［２］は、上記（Ａ）〜（Ｃ）以外の構成である。
【００１０】
［３］医用固定具は、幼児患者の股間に挿入するスポンジ製のマットと、マットを挟んで底壁上に幼児患者の脚部を固定するバンドとを備えている。この［３］は、上記（Ｃ）と同様の構成を示している。
【００１１】
［４］医用固定具は、幼児患者を本体内で固定させるために頭部、胸部及び脚部に対応する各位置で各々を横断して配置されるバンドを備えている。幼児患者の両側面に位置する側壁は、その外表面を上縁から下縁に向かって傾斜する斜面に形成されている。この［４］は、上記（Ｃ）と同様の構成を示している。
【００１２】
［５］医用固定具は、被検体が載置される天板と、被検体の両側面に当接する１対の保持具とを備えている。この［５］は、上記（Ａ）〜（Ｃ）以外の構成である。この［５］は、小児の膝曲げを防止する構成がない。
【００１３】
［６］医用固定具は、天板上に載置された被検者を囲む袋体を備えている。この［６］は、上記（Ａ）と同様の構成を示している。
【００１４】
［７］医用固定具は、被検体の頭部をヘッドレストに固定ベルトで固定し、ヘッドレストの内側両側部に設けた可動部材が固定ベルトにより、被検体の側頭部を挟み付ける。この［７］は、上記（Ｃ）の一部を含む構成を示している。
【００１５】
しかしながら、上記（Ａ）〜（Ｃ）、上記［１］〜［７］のいずれの医用固定具においても、小児などの被検体の膝曲げを抑制しつつ、拘束感を低減できるものは知られていない。
【先行技術文献】
【特許文献】
【００１６】
【特許文献１】特開２００６−１９７９６６号公報
【特許文献２】特開２００７−５４５１４号公報
【特許文献３】実開昭６１−１５４９１０号公報
【特許文献４】実開平４−１０３１０４号公報
【特許文献５】特開２００６−１３６６１８号公報
【特許文献６】特開２００７−３０１２１７号公報
【特許文献７】特許第３４７３２００号公報
【発明の概要】
【発明が解決しようとする課題】
【００１７】
発明が解決しようとする課題は、被検体の膝曲げを抑制しつつ、拘束感を低減できるようにすることである。
【課題を解決するための手段】
【００１８】
実施形態に係る医用固定具は、支持体、マット、第１クッション部材及びカバー部材を具備する。  
前記支持体は、寝台装置の天板に載置される底面部材と、前記底面部材の長手方向における両側部に沿って配置された側面部材とを備えている。
【００１９】
前記マットは、前記底面部材の少なくとも一部に載置され、被検体の少なくとも足部が載置される。
【００２０】
前記第１クッション部材は、前記足部の膝曲げを抑制するための複数の第１クッションを有し、前記複数の第１クッションの一部が前記側面部材の内面と前記マットとの間に配置されている。
【００２１】
前記カバー部材は、前記複数の第１クッションをカバーする第１布状部材と、前記第１布状部材の周縁を補強する布状の第１ベルト部材とを有している。前記カバー部材は、前記第１ベルト部材が前記被検体の足先部及び腰部に対応する複数の位置で前記側面部材の外面に着脱可能に取り付けられる。
【図面の簡単な説明】
【００２２】
【図１】図１は、一実施形態に係る医用固定具及び寝台装置の一例を示す斜視図である。
【図２】図２は、一実施形態に係る医用固定具が被検体を固定した状態を示す斜視図である。
【図３】図３は、一実施形態に係る医用固定具からカバー部材を外した状態の外観を示す斜視図である。
【図４】図４は、一実施形態に係る医用固定具の外観を示す上面図である。
【図５】図５は、一実施形態に係る医用固定具の支持体の構成を説明するための上面図、側面図及び正面図である。
【図６】図６は、一実施形態に係る医用固定具のマット及びその周辺構成を説明するための上面図、側面図及び正面図である。
【図７】図７は、一実施形態に係る医用固定具の第１クッション部材及びその周辺構成を説明するための上面図、側面図及び正面図である。
【図８】図８は、一実施形態に係る医用固定具の第１クッション部材を、接続部材を上にして示す斜視図である。
【図９】図９は、一実施形態に係る医用固定具の第２クッション部材及びその周辺構成を説明するための上面図、側面図及び正面図である。
【図１０】図１０は、一実施形態に係る医用固定具の第２クッション部材を、接続部材を上にして示す斜視図である。
【図１１】図１１は、一実施形態に係る医用固定具のカバー部材の構成を説明するための模式図である。
【図１２】図１２は、一実施形態に係る医用固定具のヘッドレストの構成を説明するための上面図、側面図及び正面図である。
【図１３】図１３は、一実施形態に係る医用固定具の頭部ベルトの構成を説明するための模式図である。
【図１４】図１４は、一実施形態に係る医用固定具の顎部ベルトの構成を説明するための模式図である。
【図１５】図１５は、一実施形態に係る医用固定具の足部ベルトの構成を説明するための模式図である。
【図１６】図１６は、一実施形態に係る医用固定具の作用を説明するためのフローチャートである。
【図１７】図１７は、一実施形態に係る作用のステップＳＴ１を説明するための模式図である。
【図１８】図１８は、一実施形態に係る作用のステップＳＴ３を説明するための模式図である。
【図１９】図１９は、一実施形態に係る作用のステップＳＴ５を説明するための模式図である。
【図２０】図２０は、一実施形態に係る医用固定具が被検体の両足を第１クッションで包む作用を説明するための模式図である。
【図２１】図２１は、一実施形態に係る医用固定具が被検体の両足を第１クッションで包む作用を説明するための図２０の２１−２１線矢視断面図である。
【図２２】図２２は、一実施形態に係る作用のステップＳＴ６を説明するための模式図である。
【発明を実施するための形態】
【００２３】
以下、一実施形態に係る医用固定具について図面を用いて説明する。なお、医用固定具は、Ｘ線ＣＴ装置、Ｘ線診断装置、磁気共鳴診断装置、核医学診断装置などの医用画像診断装置、放射線治療装置に適用可能である。詳しくは、医用固定具は、医用画像診断装置や放射線治療装置の寝台装置の天板に載置されて用いられる。医用固定具は、天板に固定してもよく、固定しなくてもよい。固定する場合には、例えば、医用固定具及び天板の周囲にベルトを巻き付けてもよい。また、医用固定具の材料は、医用画像診断装置による撮影や放射線治療装置による治療を妨げないものが使用される。医用固定具が固定する被検体は、乳幼児又は学童などの小児であり、自らの意思で静止状態を維持できないものを想定している。寝台装置としては、医用固定具を載置可能な構成であれば、任意の構成が使用可能となっている。
【００２４】
＜第１の実施形態＞
図１は、一実施形態に係る医用固定具及び寝台装置の一例を示す斜視図である。この医用固定具１は、寝台装置１０に載置されて用いられる。寝台装置１０は、スキャン対象又は治療対象の被検体Ｐを固定する医用固定具１を載置、移動させる装置であり、基台１１と、寝台駆動装置１２と、天板１３と、支持フレーム１４とを備えている。
【００２５】
基台１１は、支持フレーム１４を鉛直方向に移動可能に支持する筐体である。寝台駆動装置１２は、医用固定具１が載置された天板１３を天板１３の長手方向に移動するモータあるいはアクチュエータである。支持フレーム１４の上面に設けられた天板１３は、医用固定具１が載置される板である。なお、寝台駆動装置１２は、天板１３に加え、支持フレーム１４を天板１３の長手方向に移動してもよい。
【００２６】
ここで、医用固定具１は、図２乃至図４に一例を示すように、支持体２０、マット３０、第１クッション部材４０、第２クッション部材５０、第３クッション部材６０、カバー部材７０、ヘッドレスト８０、頭部ベルト９０及び足部ベルト１００を備えている。但し、医用固定具１は、これに限定されず、適宜、変形して実施できる。例えば、マット３０は、被検体Ｐの頭部から足先部までに対応する長さを有するように変形してもよい。この場合、図３及び図４とは異なり、マット３０上にヘッドレスト８０が配置される。また例えば、医用固定具１は、第３クッション部材６０や足部ベルト１００を省略した構成に変形してもよい。
【００２７】
ここで、支持体２０は、例えば、ＡＢＳ樹脂製の部材であり、図５に上面図、側面図及び正面図を示すように、寝台装置１０の天板１３に載置される底面部材２１と、底面部材２１の長手方向における両側部に沿って配置された側面部材２２とを備えている。底面部材２１は、マット３０及びヘッドレスト８０をそれぞれ着脱可能に取り付けるための面ファスナ２３を有している。側面部材２２の外面は、カバー部材７０、頭部ベルト９０及び足部ベルト１００をそれぞれ着脱可能に取り付けるための面ファスナ２４を有している。側面部材２２は、可撓性を有し、カバー部材７０、頭部ベルト９０及び足部ベルト１００を着脱する際に、しなってカバー部材７０、頭部ベルト９０及び足部ベルト１００に張力を与えることが可能である。側面部材２２の高さは、カバー部材７０が第１クッション部材４０を上方向及び斜め上方向から固定できるように、少なくとも被検体Ｐの足先部と腰部とに対応する複数の位置の間で第１クッション部材４０の頂部よりも低いことが好ましい。また、被検体Ｐの頭部に対応する位置の側面部材２２の高さは、ヘッドレスト８０との間で被検体Ｐの腕を挟示するように、他の位置の側面部材２２よりも高いことが好ましい。なお、側面部材２２は、被検体Ｐの首部に対応する位置には設けていないため、頭部に対応する部分と、頭部以外に対応する部分とでは、しなり方が異なる。このため、側面部材２２は、頭部ベルト９０の張力と、カバー部材７０の張力とを別々に調整可能としている。但し、これに限らず、側面部材２２は、被検体Ｐの首部に対応する位置にも設けてもよい。
【００２８】
マット３０は、図６に示すように、底面部材２１の少なくとも一部に載置され、被検体Ｐの少なくとも足部が載置される。マット３０は、第３クッション部材６０を着脱可能に取り付けるための面ファスナ３１を被検体Ｐの膝周辺に対応する位置の表面に有している。マット３０の裏面は、底面部材２１の面ファスナ２３に着脱可能な面ファスナ（図示せず）を有している。このようなマット３０は、被包と、この被包内に収納したクッション材から構成される。マット３０の材料には、例えば被包には消毒液に対して耐薬品性を備えＸ線透過性に優れたビニールレザーなどが用いられ、内部のクッション材にはＸ線透過性に優れたウレタンフォームなどが用いられる。なお、図６に示す構成は、底面部材２１とマット３０との間にクッション部材を挟まない場合に適用可能であるが、以下の例では使用しない。
【００２９】
第１クッション部材４０は、図７及び図８に示すように、被検体Ｐの足部の膝曲げを抑制するための複数の第１クッション４１を有し、複数の第１クッション４１の一部が側面部材２２の内面とマット３０との間に配置されている。なお、第１クッション部材４０は、複数の第１クッション４１が接続部材４２を介して接続され、接続部材４２がマット３０と底面部材２１との間に配置されてもよい。接続部材４２は、図８に示した如き、平面形状に限らず、ネット形状、１つ以上の帯状形状又はヒモ形状といった任意の形状が使用可能である。あるいは接続部材４２は、省略してもよい。但し、接続部材４２は、各々の第１クッション４１の紛失を防ぐ効果もあるので、省略しない方が好ましい。第１クッション４１は、被包と、この被包内に収納したクッション材から構成される。第１クッション４１の材料には、例えば被包には消毒液に対して耐薬品性を備えＸ線透過性に優れたビニールレザーなどが用いられ、内部のクッション材にはＸ線透過性に優れた発泡ビーズなどが用いられる。接続部材４２には、被包と同じくビニールレザーなどが用いられる。また、第１クッション部材４０の体積は、被検体Ｐの膝曲げを上方向から抑制するように、第２クッション部材５０の体積よりも大きいことが好ましい。すなわち、第１クッション部材４０は、被検体Ｐの膝を上から抑えるので、相対的に大きい体積が必要である。これに対し、第２クッション部材５０は、被検体Ｐの胴部を横から抑えるので、相対的に小さい体積で間に合う。
【００３０】
第２クッション部材５０は、図９及び図１０に示すように、被検体Ｐの胴部における側面部材２２に近づく方向の動きを抑制するための複数の第２クッション５１を有し、複数の第２クッション５１の一部が側面部材２２の内面とマット３０との間に配置されている。また、第２クッション部材５０は、複数の第２クッション５１が接続部材５２を介して接続され、接続部材５２がマット３０と底面部材２１との間に配置されてもよい。接続部材５２は、図１０に示した如き、平面形状に限らず、ネット形状、１つ以上の帯状形状又はヒモ形状といった任意の形状が使用可能である。あるいは接続部材５２は、省略してもよい。但し、接続部材５２は、各々の第２クッション５１の紛失を防ぐ効果もあるので、省略しない方が好ましい。第２クッション５１は、被包と、この被包内に収納したクッション材から構成される。第２クッション５１の材料には、例えば被包には消毒液に対して耐薬品性を備えＸ線透過性に優れたビニールレザーなどが用いられ、内部のクッション材にはＸ線透過性に優れた発泡ビーズなどが用いられる。接続部材５２には、被包と同じくビニールレザーなどが用いられる。また例えば、第２クッション５１と被検体Ｐの胴部との間に隙間がある場合などには、被検体Ｐの動きを抑制するための小クッションを更に用いてもよい。小クッションは、必要により任意の位置に配置される１以上のクッションである。各々の小クッションは、例えば、第３クッション部材６０と同程度から半分程度までのいずれかの大きさを持つように、第２クッション５１と同じ材料を用いて作成すればよい。なお、小クッションは、タオル等で代用してもよい。
【００３１】
第３クッション部材６０は、図３に示したように、被検体Ｐの足部における右足部と左足部との間に対応する位置でマット３０に着脱可能に取り付けられる。すなわち、第３クッション部材６０の底面は、マット３０の面ファスナ３１に着脱可能な面ファスナを有している。「右足部と左足部との間」は、「膝部の間」でもよく、「ふくらはぎの間」でもよい。第３クッション部材６０は、被包と、この被包内に収納したクッション材から構成される。第３クッション部材６０の材料には、例えば被包には消毒液に対して耐薬品性を備えＸ線透過性に優れたビニールレザーなどが用いられ、内部のクッション材にはＸ線透過性に優れたウレタンフォームなどが用いられる。
【００３２】
カバー部材７０は、図１１に示すように、複数の第１クッション４１をカバーする第１布状部材７１と、第１布状部材７１の周縁を補強する布状の第１ベルト部材７２とを有している。第１ベルト部材７２が被検体Ｐの足先部及び腰部に対応する複数の位置で側面部材２２の外面に着脱可能に取り付けられる。第１布状部材７１は、ネット形状を有する構成としてもよい。ネット形状の編み目のサイズは、任意である。第１ベルト部材７２は、側面部材２２の長手方向とは直交する方向に突出した突出領域７３を四隅に有し、突出領域７３を介して側面部材２２の外面に着脱可能に取り付けられる。すなわち、突出領域７３の裏面は、側面部材２２の面ファスナ２４に着脱可能な面ファスナを有している。
【００３３】
また、カバー部材７０は、被検体Ｐの胴部及び複数の第２クッション５１をカバーする第２布状部材７４と、第２布状部材７４の周縁を補強する第２ベルト部材７５とを更に有している。第２ベルト部材７５が被検体Ｐの腕の付け根周辺及び腰部に対応する複数の位置で側面部材２２の外面に着脱可能に取り付けられている。例えば、第２ベルト部材７５は、側面部材２２の長手方向とは直交する方向に突出した突出領域７６を四隅に有し、突出領域７６を介して側面部材２２の外面に着脱可能に取り付けられる。すなわち、突出領域７６の裏面は、側面部材２２の面ファスナ２４に着脱可能な面ファスナを有している。また、第２ベルト部材７５と第１ベルト部材７２とが腰部に対応する部分で一体的に形成されている。これに伴い、突出領域７３，７６も一体的に形成されている。なお、腕の付け根周辺は、腕を下げた場合には肩部が該当し、腕を上げた場合には胸部が該当する。
【００３４】
ここで、第１布状部材７１及び第２布状部材７４の材料には、例えば、Ｘ線透過性に優れたポリエステルなどの樹脂が用いられる。第１ベルト部材７２、第２ベルト部材７５及び突出領域７３，７６の材料には、例えば消毒液に対して耐薬品性を備えＸ線透過性に優れたビニールレザーなどが用いられる。このようなカバー部材７０は、柔軟性を持つ第１布状部材７１及び第２布状部材７４と、堅牢性を持つ第１ベルト部材７２、第２ベルト部材７５及び突出領域７３，７６とを備えた構成により、柔軟性と堅牢性とを併せ持つことができる。補足すると、ネット形状を有する第１布状部材７１及び第２布状部材７４は、単体では柔らかすぎる。これに対し、第１ベルト部材７２及び第２ベルト部材７５が第１布状部材７１及び第２布状部材７４の周縁を補強した構成により、被検体Ｐをしっかり固定することができる。
【００３５】
ヘッドレスト８０は、図２、図４及び図１２に示すように、支持体２０上に配置され、円弧状又はＵ字状の断面形状を有し、被検体Ｐの頭部が載置される。ヘッドレスト８０と側面部材２２との間で被検体Ｐの腕を挟持する。ヘッドレスト８０の外面は、図１３又は図１４に示す如き、頭部ベルト９０又は顎部ベルト９５をそれぞれ着脱可能に取り付けるための面ファスナ８１を有している。なお、被検体Ｐの腕が動く場合には、前述した小クッションをヘッドレスト８０と側面部材２２との間に配置して、被検体Ｐの腕を固定してもよい。なお、ヘッドレスト８０は、マット３０が被検体Ｐの身長より長い場合には、マット３０上に配置される。すなわち、医用固定具１は、ヘッドレスト８０を支持体２０上又はマット３０上に備えている。
【００３６】
頭部ベルト９０は、帯状のベルト本体９１を有し、ベルト本体９１が被検体Ｐの頭部及び腕を抑えるように、ベルト本体９１の両端９２が側面部材２２の外面に着脱可能に取り付けられる。なお、被検体Ｐの腕を胴部と第２クッション５１との間に位置させる場合、頭部ベルト９０をヘッドレスト８０の外面に着脱可能に取り付けてもよい。すなわち、頭部ベルト９０の両端９２は、側面部材２２の面ファスナ２４又はヘッドレスト８０の面ファスナ８１に着脱可能な面ファスナを有している。頭部ベルト９０の材料には、例えば消毒液に対して耐薬品性を備えＸ線透過性に優れたビニールレザーなどが用いられる。
【００３７】
また、被検体Ｐの腕を胴部と第２クッション５１との間に位置させる場合、頭部ベルト９０に代えて、図１４に示す如き、顎部ベルト９５をヘッドレスト８０の外面に着脱可能に取り付けてもよい。顎部ベルト９５は、被検体Ｐの顎部を保持する孔９６が形成された帯状のベルト本体９７を有し、ベルト本体９７が被検体Ｐの顎部を抑えるように、ベルト本体９７の両端９８がヘッドレスト８０の外面に着脱可能に取り付けられる。顎部ベルト９５の両端９８は、側面部材２２の面ファスナ２４に着脱可能な面ファスナを有している。顎部ベルト９５の材料には、例えば消毒液に対して耐薬品性を備えＸ線透過性に優れたビニールレザーなどが用いられる。
【００３８】
足部ベルト１００は、図１５に示すように、帯状のベルト本体１０１を有し、ベルト本体１０１が被検体Ｐの膝周辺に対応する位置でカバー部材７０を抑えるように、ベルト本体１０１の両端１０２が側面部材２２の外面に着脱可能に取り付けられる。足部ベルト１００の両端１０２は、側面部材２２の面ファスナ２４に着脱可能な面ファスナを有している。足部ベルト１００の材料には、例えば消毒液に対して耐薬品性を備えＸ線透過性に優れたビニールレザーなどが用いられる。
【００３９】
次に、以上のように構成された医用固定具の作用について図１６のフローチャート及び図１７乃至図２２の模式図を用いて説明する。
【００４０】
始めに、ステップＳＴ１において、操作者は医用固定具１を準備する。具体的には例えば、操作者は、図４に示した如き、カバー部材７０、頭部ベルト９０及び足部ベルト１００を取り付けた状態の医用固定具１を天板１３上に載置する。続いて、操作者は、医用固定具１からカバー部材７０、頭部ベルト９０及び足部ベルト１００を取り外す。これにより、図１７に示すように、マット３０、第３クッション部材６０及びヘッドレスト８０が露出した状態で医用固定具１が準備される。
【００４１】
ステップＳＴ１の後、ステップＳＴ２において、操作者は、被検体Ｐをマット３０及びヘッドレスト８０に載置する。このとき、操作者は、被検体Ｐの右足部と左足部との間に第３クッション部材６０を位置させるように、被検体Ｐの足部及び胴部をマット３０に載置する。また、操作者は、被検体Ｐの頭部をヘッドレスト８０に載置する。
【００４２】
ステップＳＴ２の後、ステップＳＴ３〜ＳＴ４において、操作者は、図１８に示すように、被検体Ｐの足部を順次、第１クッション４１で包む。また、被検体Ｐの両足を第１クッション４１で包んだ後、撮影又は治療の目的に応じて、被検体Ｐの腕を胴部横又は頭部横に配置する。この例では、被検体Ｐの腕を頭部横に配置している。
【００４３】
ステップＳＴ４の後、ステップＳＴ５において、操作者は、図１９に示すように、カバー部材７０を被検体Ｐの胴部、第２クッション５１及び第１クッション４１に被せた後、カバー部材７０の突出領域７３，７６を側面部材２２の外面に取り付ける。これにより、カバー部材７０が、被検体Ｐの腕の付け根周辺、腰部及び足先部に対応する位置で、支持体２０に取り付けられる。カバー部材７０の張力は、側面部材２２に対する突出領域７３，７６の取り付け方により調整可能である。このとき、図２０及び図２１に示すように、被検体Ｐの両足が上下左右の外側方向から第１クッション４１に包まれる。また、第１クッション４１の外周側は、第１布状部材７１と側面部材２２とに囲まれて固定される。従って、被検体Ｐの膝曲げを第１クッション４１により抑制できる。
【００４４】
ステップＳＴ５の後、ステップＳＴ６において、操作者は、図２２に示すように、頭部ベルト９０の両端９２を側面部材２２の外面に取り付ける。これにより、被検体Ｐの頭部及び腕が固定される。また、操作者は、必要により、図２に示したように、足部ベルト１００を支持体２０に取り付けてもよい。
【００４５】
ステップＳＴ６の終了により、医用固定具１は、拘束感を低減しつつ、被検体Ｐを固定する。以下、医用固定具１は、寝台装置１０の天板１３上において、被検体Ｐの撮影又は治療に用いられる。
【００４６】
以上説明したように一実施形態によれば、足部の膝曲げを抑制するための複数の第１クッションを有し、第１布状部材が複数の第１クッションをカバーする構成により、被検体の膝曲げを抑制しつつ、拘束感を低減させることができる。
【００４７】
詳しくは、被検体の膝周辺を左右外側から第１クッションで優しくカバーした後、第１クッションをカバー部材で覆って固定する。なお、膝周辺を挟む位置にある腰部と足先部に関しては、カバー部材の第１ベルト部材がしっかりと固定する。これにより、被検体による膝立ての動きを第１クッションが吸収し、医用固定具内で膝部を優しく確実に固定することができる。また、ベルトが上から膝を押さえる構成とは異なり、被検体の不快感、ホールド感及び拘束感を低減させることができる。
【００４８】
また、一実施形態によれば、複数の第１クッションが接続部材を介して接続され、接続部材がマットと底面部材との間に配置された構成により、マット及び底面部材の長手方向における第１クッションの位置が固定される。このため、複数の第１クッションの配置を調整する手間を減らしつつ、迅速に、複数の第１クッションを左右対称に足部の外側に配置することができる。また、接続部材により、各々の第１クッションの紛失を防ぐことができる。
【００４９】
また、一実施形態によれば、第１布状部材がネット形状を有する構成により、伸縮性をもって第１クッションの外周側を固定できるため、より一層、拘束感を低減させることができる。また、第１布状部材がネット形状を有し、第１ベルト部材が第１布状部材の周縁を補強するので、カバー部材が、ネット形状の柔軟性と、ベルト部材の堅牢性とを併せ持つことができる。これにより、第１布状部材が柔らかく第１クッションを抑えつつ、第１ベルト部材を堅牢に側面部材に装着することができる。
【００５０】
また、一実施形態によれば、側面部材の高さが、少なくとも足先部と腰部とに対応する複数の位置の間で第１クッション部材の頂部よりも低い構成により、側面部材の高さより低くならない第１布状部材と、第１クッションの頂部との間に隙間ができない。このため、第１布状部材と第１クッションとの間に隙間が生じて身体が動いてしまうことを阻止することができる。
【００５１】
また、一実施形態によれば、第１ベルト部材が、長手方向とは直交する方向に突出した突出領域を四隅に有し、当該突出領域を介して側面部材の外面に着脱可能に取り付けられる。これにより、突出領域を手に持ってカバー部材を着脱できるので、カバー部材の着脱作業の容易化を図ることができる。
【００５２】
また、一実施形態によれば、被検体の胴部における側面部材に近づく方向の動きを抑制するための複数の第２クッションを有し、第２布状部材が当該胴部及び複数の第２クッションをカバーする構成により、被検体の胴部の動きを抑制することができる。また、第２布状部材の周縁を補強する第２ベルト部材が、被検体の腕の付け根周辺及び腰部に対応する複数の位置で側面部材の外面に着脱可能に取り付けられている。このため、カバー部材の第２ベルト部材が、腕の付け根周辺及び腰部といった要所をしっかりと固定する。これにより、被検体による胴部の動きを第２クッションが吸収し、医用固定具内で胴部を優しく確実に固定することができる。
【００５３】
また、一実施形態によれば、第１クッション部材の体積は、第２クッション部材の体積よりも大きい。これは、第１クッション部材で固定される足部の体積が、第２クッション部材で固定される胴部の体積より小さいことに対応している。従って、被検体の部位毎の体積に応じて、隙間が生じないようにクッション部材を配置することができる。
【００５４】
また、一実施形態によれば、第３クッション部材が、右足部と左足部との間に対応する位置でマットに着脱可能に取り付けられている。従って、被検体の右足部と左足部とで第３クッション部材を挟むことにより、右足部と左足部とをそれぞれ第３クッション部材と第１クッション部材とで包むことができる。すなわち、被検体の足部を片足ずつクッション部材で包んで固定する構成により、両足をまとめて固定する場合に比べ、よりしっかり固定することができる。
【００５５】
また、一実施形態によれば、足部ベルトのベルト本体が被検体の膝周辺に対応する位置でカバー部材を抑えるように、ベルト本体の両端が側面部材の外面に着脱可能に取り付けられる。従って、足部ベルトが膝周辺に対応する位置でカバー部材を抑えることにより、被検体の足部の力が強い場合でも、膝周辺に隙間ができて身体が動いてしまうことを阻止することができる。このように、必要に応じて外側から足部ベルトを追加することにより、固定力を上げることができる。なお、足部ベルトに限らず、頭部ベルト又は顎部ベルトを追加する場合も同様に、追加したベルトに応じて固定力を上げることができる。
【００５６】
また、一実施形態によれば、ヘッドレストと側面部材との間で被検体の腕を挟持する構成により、被検体の腕の動きを防止することができる。
【００５７】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【００５８】
１  医用固定具
１０  寝台装置
１１  基台
１２  寝台駆動装置
１３  天板
１４  支持フレーム
２０  支持体
２１  底面部材
２２  側面部材
２３，２４，３１，８１  面ファスナ
３０  マット
４０  第１クッション部材
４１  第１クッション
４２，５２  接続部材
５０  第２クッション部材
５１  第２クッション
６０  第３クッション部材
７０  カバー部材
７１  第１布状部材
７２  第１ベルト部材
７３，７６  突出領域
７４  第２布状部材
７５  第２ベルト部材
８０  ヘッドレスト
９０  頭部ベルト
９１，９７，１０１  ベルト本体
９２，９８，１０２  両端
９５  顎部ベルト
９６  孔
１００  足部ベルト
Ｐ  被検体
【図１】
2019162214.tif 000003
【図２】
2019162214.tif 000004
【図３】
2019162214.tif 000005
【図４】
2019162214.tif 000006
【図５】
2019162214.tif 000007
【図６】
2019162214.tif 000008
【図７】
2019162214.tif 000009
【図８】
2019162214.tif 000010
【図９】
2019162214.tif 000011
【図１０】
2019162214.tif 000012
【図１１】
2019162214.tif 000013
【図１２】
2019162214.tif 000014
【図１３】
2019162214.tif 000015
【図１４】
2019162214.tif 000016
【図１５】
2019162214.tif 000017
【図１６】
2019162214.tif 000018
【図１７】
2019162214.tif 000019
【図１８】
2019162214.tif 000020
【図１９】
2019162214.tif 000021
【図２０】
2019162214.tif 000022
【図２１】
2019162214.tif 000023
【図２２】
2019162214.tif 000024